(57)【要約】      （修正有）【課題】前後の足を粘着剤を敷き詰めた捕捉部で確実に捕らえ、その捕らえられた姿が人やネズミの目に触れないようにした、クマネズミ（中型）以上のネズミをも捕獲できる捕獲器を提供すること。【解決手段】粘着剤３を敷き詰めたトレー底基盤２上の捕捉部５の一部又は周辺に、粘着剤３の表面の粘着力を抑制（破れ・崩れやすい表面膜６）するか、又は粘着剤をなくしたか、或いは滑りやすいものとしたネズミ侵入部４を設ける。更に、上記トレー底基盤２を、入り口以外は通過阻止部としての壁を設けた組み立て式のハウス内に、前記ネズミ侵入部４が入り口側となり、餌置部７ｂが奥側となるようにして載置する。【選択図】図２
2006166783.tif 000002
【特許請求の範囲】
【請求項１】
厚紙やプラスチック等の基盤の上に粘着剤が粘着してある粘着式捕獲器において、粘着剤を敷き詰めた捕捉部の一部又は周辺に、粘着剤の表面の粘着力を抑制又は粘着剤をなくしたネズミ侵入部を設けたことを特徴とする粘着式捕獲器。 
【請求項２】
前記ネズミ侵入部の全部又は一部を、粘着剤の上に破れ・崩れやすい表面膜があるものにしたことを特徴とする請求項１記載の粘着式捕獲器。 
【請求項３】
前記ネズミ侵入部の全部又は一部の表面を、ネズミの足が滑りやすいもの（以下「滑路」ともいう。）にしたことを特徴とする請求項１記載の粘着式捕獲器。
【請求項４】
トレーの底を基盤とし、その基盤の上に粘着剤がある捕獲器（以下、「トレー型粘着式捕獲器」ともいう。）において、粘着剤を敷き詰めた捕捉部の一部又は両辺に粘着剤の表面の粘着力を抑制又は粘着剤をなくしたネズミ侵入部を設けたことを特徴とする請求項１記載のトレー型粘着式捕獲器
【請求項５】
前記トレー型粘着式捕獲器のネズミ侵入部の全部又は一部を、粘着剤の上に破れ・崩れやすい表面膜があるものにしたことを特徴とする請求項１、２、４いずれか記載のトレー型粘着式捕獲器。
【請求項６】
前記トレー型粘着式捕獲器のネズミ侵入部の全部又は一部の表面を、滑路にしたことを特徴とする請求項１、３、４いずれか記載のトレー型粘着式捕獲器。
【請求項７】
前記トレー型粘着式捕獲器のネズミ侵入部を、少なくともネズミ路と粘着剤があるものにしたことを特徴とする請求項１乃至４記載のトレー型粘着式捕獲器。
【請求項８】
前記トレー型粘着式捕獲器を、底と側面と上面を有するハウス内に載置する又は載置したハウス・トレー型粘着式捕捉器において、捕捉部の縁付近に、ネズミの通過を阻止・抑制する通過阻止部を設けたことを特徴とする請求項１、４〜７いずれか記載のハウス・トレー型粘着式捕捉器。
【発明の詳細な説明】
【技術分野】
【０００１】
本発明は、ネズミ等の小動物を捕獲する粘着式捕獲器に関するもので、中型以上のネズミをも捕獲できるもの。
【背景技術】
【０００２】
小型のネズミ（ハツカネズミ等）の捕獲・駆除は割りと容易であるが、クマネズミ（中型）以上のネズミの捕獲・駆除は容易でないのが実情である。
【０００３】
すなわち、ネズミを捕獲・駆除する器具として、主に使用されているものには、「毒餌」「粘着式」「罠式（シーソー式等）」の３つがある。
しかし、どれもが、多くの欠陥・課題を有しており、従って、特許等の出願も続いている。
特に、中型以上のネズミ（特にクマネズミ）を捕獲・駆除するという点から見た場合、その欠陥は著しいものである。
例えば、知恵があり、電線、梁、柱、パイプ等を伝わることが得意であり、屋根裏をも住処とするクマネズミの捕獲・駆除は困難であり、クマネズミによる被害は深刻なものとなっている。
【０００４】
【特許文献１】特開２００１ー２３１４２８号公報
【発明の開示】
【発明が解決しようとする課題】
【０００５】
本発明が解決しようとする課題は、
１  上記捕獲・駆除の器具（３つ）の中で、現在、最も脚光を浴び、解決すべき課題も多く、発展途上のものでもある「粘着式」を進歩・発展させ、“クマネズミ（中型）以上のネズミをも捕獲できる「粘着式捕獲器」”を提供することにある。
２  具体的には、下記の欠陥１〜７を解決することである。
欠陥１  粘着力が温度により変化すること。
欠陥２  ホコリや水等が足に付着すると粘着力が弱まること。
欠陥３  ネズミが、粘着剤に、足を一歩踏み入れると同時に、異常を感じ取り逃げてし
まうこと。両前足を踏み込んだ場合は残りの後足で捕獲器を振り回し、壁にぶつけたり等して逃げること。
欠陥４  粘着剤を柔らかくすると、上記欠陥３を助長すること。
はくり紙の使用が不可能になること。
欠陥５  粘着剤を固めにすると、粘着力を強めることは出来るが、ネズミの足の接触面
積は減り、上記欠陥２、３を助長すること。
欠陥６  後足が捕獲器外にある形での捕捉が多く、逃げるものも多く、ネズミの脱糞、
放尿で床などを汚すことも多いこと。
欠陥７  捕獲されたネズミの「残忍さ・惨さ」が、人にも、捕獲されなかったネズミにも見えることから、
ａ  人に対しては、「残酷感・罪悪感・不快感」を与えること。
ｂ  ネズミに対しては、「粘着式捕獲器に近付くな、このようになってしまうぞ」との警告を与え、学習させ、その結果として、急速に捕れなくなってしまうこと。
３  以上のとおりであり、従来の「粘着式捕獲器」により捕獲されるネズミは、下記ａｂの場合だけであり、ほんの一部（運悪く、下記ａｂを満たすに至ったネズミ）だけだったのである。
ａ  ホコリや水等が足に付着しており、かつ、欠陥７の学習が足らないネズミが、
ｂ  前足は勿論のこと後足をも粘着剤の上に乗せ、かつ、その乗った足に付着しているホコリや水等が粘着剤側に付着して無くなった（粘着剤の本来の粘着力が発揮されるに至った）場合。
【０００６】
本発明は、このような従来の構成が有していた問題を解決しようとするものであり、「破れ・崩れやすい表面膜、ネズミ路、滑路、通過阻止部等」の新たな発明・手段により前記問題を解決する粘着式捕獲器を実現することを目的とするものである。
【課題を解決するための手段】
【０００７】
課題解決手段その１は、厚紙やプラスチック等の基盤の上に粘着剤が粘着してある粘着式捕獲器において、粘着剤を敷き詰めた捕捉部の一部又は周辺に、粘着剤の表面の粘着力を抑制又は粘着剤をなくしたネズミ侵入部を設けたものである。
【０００８】
課題解決手段その２は、前記ネズミ侵入部の全部又は一部を、粘着剤の上に破れ・崩れやすい表面膜があるものにしたものである。
【０００９】
課題解決手段その３は、前記ネズミ侵入部の全部又は一部の表面を、ネズミの足が滑りやすいもの（滑路）にしたものである。
【００１０】
課題解決手段その４は、トレーの底を基盤とした基盤（以下「トレー底基盤」ともいう。）の上に粘着剤がある捕獲器（以下「トレー型粘着式捕獲器」ともいう。）おいて、粘着剤を敷き詰めた捕捉部の一部又は両辺に粘着剤の表面の粘着力を抑制又は粘着剤をなくしたネズミ侵入部を設けたものである。
【００１１】
課題解決手段その５は、前記トレー型粘着式捕獲器のネズミ侵入部の全部又は一部を、粘着剤の上に破れ・崩れやすい表面膜があるものにしたものである。
【００１２】
課題解決手段その６は、前記トレー型粘着式捕獲器のネズミ侵入部の全部又は一部の表面を、滑路にしたものである。
【００１３】
課題解決手段その７は、前記トレー型粘着式捕獲器のネズミ侵入部を、少なくともネズミ路と粘着剤があるものにしたものである。
【００１４】
課題解決手段その８は、前記トレー型粘着式捕獲器を、底と側面と上面を有するハウス内に載置する又は設置したハウス・トレー型粘着式捕捉器において、捕捉部の縁付近に、ネズミの通過を阻止・抑制する通過阻止部を設けたものである。
【００１５】
上記課題解決手段その１による作用は次のとおりである。すなわち、厚紙やプラスチック等の基盤の上に粘着剤が粘着してある粘着式捕獲器において、粘着剤を敷き詰めた捕捉部の一部又は周辺に、粘着剤の表面の粘着力を抑制又は粘着剤をなくしたネズミ侵入部を設けたものであるため、粘着剤がどんなに強力なものであっても、ネズミは、前記ネズミ侵入部を経て捕捉部に到達でき、到達し、前記基盤の上に乗り、前記捕捉部に前足を踏み入れ、その捕捉部の粘着剤に捕捉され、前記基盤の上で逃げようとして暴れ・もがくが、粘着剤が強力なものであること及び全足が基盤上にあることから、逃れることが出来ず前記基盤の上で捕獲される。
つまり、ここの手段その１による作用の骨子は、望みどおりの強力な粘着剤を使用できること及びネズミを前記基盤上で捕獲することであり、その作用により上記課題を解決するという効果を発揮する。
【００１６】
以下、段落番号を引用する場合は［］を用いて表示する。
上記課題解決手段その２による作用は次のとおりである。すなわち、前記ネズミ侵入部の全部又は一部を、粘着剤の上に破れ・崩れやすい表面膜があるものにしたものであるため、前記ネズミ侵入部を、粘着剤の上に破れ・崩れやすい表面膜を形成したことを特徴とするもので全部又は一部を構成したため、ネズミは、このネズミ侵入部（破れ・崩れやすい表面膜で覆われて粘着力が抑制されている部分）を経て、前記捕捉部に到達し、その捕捉部の粘着剤に前足を捕らえられ、逃れようとして下向き等の力を後足に入れ、前記表面膜を破壊しまくり、埋まり込み（粘着剤との接触面積を拡大させ）このネズミ侵入部の粘着剤にも捕捉され、基盤上で捕獲されるに至る。
つまり、ここの手段その２による作用の骨子は、このネズミ侵入部の粘着剤の上に破れ・崩れやすい表面膜があるため、ネズミの足の埃や水が侵入部で除去されて、かつ、このネズミ侵入部の粘着剤にも捕捉されることである。
前記［００１５］記載の効果をより高めるものである。 
【００１７】
上記課題解決手段その３による作用は次のとおりである。すなわち、前記ネズミ侵入部の全部又は一部の表面を、ネズミの足が滑りやすいもの（滑路）にしたものであるため、ネズミは、その滑路を通り、捕捉部に到達したところで、前足を前記捕捉部に踏み入れ捕らえられ、逃れようとして暴れるが、後足等も滑路上にあるため、捕捉部の粘着剤に滑り込み捕捉され、上記基盤上で捕獲されるに至る。
この手段その３による作用の骨子は、上記手段その２に比し、簡便さにおいて勝るものがあることである。
【００１８】
上記課題解決手段その４による作用は次のとおりである。すなわち、トレー型粘着式捕獲器おいて、粘着剤を敷き詰めた捕捉部の一部又は両辺に粘着剤の表面の粘着力を抑制又は粘着剤をなくしたネズミ侵入部を設けたものであるため、ハウス内に載置することができ、狭いスペースでの設置が可能、ハウス内での捕獲向上、処理が簡単、不快感の減少、使用勝っての向上等の効果を発揮する。
【００１９】
上記課題解決手段その５による作用は次のとおりである。すなわち、前記トレー型粘着式捕獲器のネズミ侵入部の全部又は一部を、粘着剤の上に破れ・崩れやすい表面膜があるものにしたため、上記［００１８］記載の作用効果に上記［００１６］記載の作用効果が加わった作用効果を発揮する。
【００２０】
上記課題解決手段その６による作用は次のとおりである。すなわち、前記トレー型粘着式捕獲器のネズミ侵入部の全部又は一部の表面を、滑路にしたものであるため、上記［００１８］記載の作用効果に上記［００１７］記載の作用効果が加わった作用効果を発揮する。
【００２１】
上記課題解決手段その７による作用は次のとおりである。すなわち、前記トレー型粘着式捕獲器のネズミ侵入部を、少なくともネズミ路と粘着剤があるものにしたため、ネズミが、ネズミ侵入部のネズミ路を通り、捕捉部に至ったところで、そのネズミは、前足を捕捉部の粘着剤に捕らえられ、ハウス内で逃れようとして暴れ、後足がネズミ路の側の粘着剤に乗ってしまう等して捕捉され、上記［００１８］記載の作用効果の進歩を発揮する。
【００２２】
上記課題解決手段その８による作用は次のとおりである。すなわち、前記トレー型粘着式捕獲器を、底と側面と上面を有するハウス内に載置する又は設置したハウス・トレー型粘着式捕捉器において、捕捉部の縁付近に、ネズミの通過を阻止・抑制する通過阻止部を設けたものであるため、ハウスを通り抜けようとしたネズミに対し、通り抜け・前進を阻止・抑制し、ネズミは後すざりが不得手なこともあり、ネズミが捕捉部乃至ネズミ侵入部の粘着剤の上に留まる時間を長くし、ネズミと粘着剤との接触面積を広げ、粘着力を高めるという作用をもたらし、捕獲力を高め、かつ、ハウス内での捕獲を一段と高める効果を発揮する。
つまり、上記［００１８から［００２１］までの作用効果を一段と高め、従来の欠陥（上記［０００５］２の欠陥１〜７）をより改善・解決するという効果を発揮するものである。
【発明の効果】
【００２３】
上述したように、従来の粘着式捕獲器により捕獲されるネズミは、ホコリや水等が足に付着していたネズミであり、かつ、［０００５］２欠陥７ｂの学習が足らないネズミであり、かつ、そのネズミが奥（後足も粘着剤上に乗る位置）に侵入した時点で、そのホコリや水等が粘着剤に付着して無くなった（本来の粘着力が発揮されるに至った）ネズミだけだったのに対し、
【００２４】
本発明の粘着式捕獲器は、上述したように、望みどおりの強力な粘着剤を使用でき、かつ、ネズミを基盤上で捕獲するという作用をも生まれ、上記課題（［０００５］２の欠陥１〜７）を解決するという効果を発揮するものである。
以上のとおり、本発明は、構成は簡単であるが、その構成の作用効果は顕著なものであり、進歩性を有するというべきものである。
【発明を実施するための最良の形態】
【００２５】
以下、本発明の実施の形態を図１〜図１５に基づいて説明する。
【００２６】
実施例その１の１。（図６参照）
ここの実施例は、前記［０００８］の『課題解決手段その２は、前記［０００７］のネズミ侵入部につき、そのネズミ侵入部の全部又は一部を、粘着剤の上に破れ・崩れやすい表面膜があるものにしたものである。』に関するものであり、捕獲部５の周辺に、前記ネズミ侵入部４を設けたものである。
すなわち、図６に示すように、縁１６を有し折り畳み式になっている基盤（厚紙製）１７の上に粘着剤３が粘着してある従来の粘着式捕獲器において、粘着剤３を敷き詰めた捕獲部５の周辺に、粘着剤３の上に破れ・崩れやすい表面膜６（次の備考参照）があるネズミ侵入部４を設けたものである。
備考：破れ・崩れやすい表面膜６は、実験では、ティシュペーパーを剥がして薄くしたものを使用したが、オブラート、ラップに横の切れ目を入れたもの、小粒子状の砂等を、粘着剤の上に張り付け又は吹き付け又は塗り付けたもの、あるいは、紫外線等で粘着剤の表面を硬化させたもの等、「ネズミが逃れようとして後足に力を入れたとき破壊するもの」なら何でもよい。
【００２７】
実施例その１の２。（図７参照）
前実施例と同じく、前記［０００８］に関するものであり、折り畳み式になっており、縁１６を有する基盤（厚紙製）上に粘着剤３が粘着してある従来の粘着式捕獲器において、図７に示すように、片方（左部）には粘着剤３の上に破れ・崩れやすい表面膜６があり、残り（右部）にはその表面膜６がない。
すなわち、粘着剤を敷き詰めた捕獲部５の一部（右部）に、粘着剤の上に破れ・崩れやすい表面膜６があるネズミ侵入部４（左部）を設けた例である。
【００２８】
設置例については、餌を置き、その餌を捕捉部５で取り囲むように、複数の捕獲器を設置する。
ネズミが出て来る穴に対しては、その穴をネズミ侵入部４が囲むように設置する。つまり、複数の捕獲器を、ネズミが来る方向にネズミ侵入部４を向けて設置する方がよい。
以上の［００２６］〜［００２８の作用効果は前記［００１６］参照。
【００２９】
実施例その２の１。（図１２参照）
ここの実施例は、前記［０００９］記載の『課題解決手段その３は、前記ネズ
ミ侵入部の全部又は一部の表面を、ネズミの足が滑りやすいもの（滑路）にしたものである。』に関するものである。
すなわち、「折り畳み式」になっている従来の粘着式捕獲器において、図１２に示すように、基盤（厚紙製）１７の中央部に粘着剤３を敷き詰めた捕捉部５があり、その捕捉部５の周辺に、全部の表面をネズミの足が滑りやすいもの（滑路）２９（次の備考参照）にしたネズミ侵入部４がある。
捕捉部５の中心部には餌置部１８がある。
ネズミは、餌置部１８の餌を食べる為に、表面をネズミの足が滑りやすいもの２９にしてあるネズミ侵入部４から侵入し、捕捉部５に踏み込み、前足が捕らえられ、逃れようとするが、足が滑り、捕捉部５の粘着剤３に滑り込み、基盤１７上で捕獲されるに至る。
ストッパー３０は、折り畳んだときに粘着剤３どうしが付かない為のものである。
備考：ネズミの足が滑りやすいもの（滑路ともいう）２９とは、基盤の表面にポリエチレン等の樹脂、ロウ、油等が付けてあるもの、基盤自体が滑りやすいもの（樹脂等）、下り勾配等、捕獲部５の粘着剤３に前足を捕捉されたネズミの後足が乗る巾とその後足等が滑るものであればよい。その巾は、好ましくは３ｃｍ以上であるが、目的とするネズミの大きさで異なるものでもある。
【００３０】
実施例その２の２。（図１３、１４参照）
ここの実施例も、前記［０００９］記載のものに関するものである。
すなわち、図１３、１４に示すように、周辺が略へ状のプラスチック製の皿状の容器を基盤とした皿状基盤３１の中央部には粘着剤３を敷き詰めた捕捉部５があり、その捕捉部５の周辺に略へ状のネズミ侵入部４がある。
そのネズミ侵入部４の外周辺は、昇り勾配部・波形３２で滑りにくいものであるが、内周辺は、下り勾配部・滑路３３で、ネズミの足が滑りやすいものになっている。
以上［００２９］［００３０］の作用効果は前記［００１７］参照。
【００３１】
実施例その３。（図１〜５参照）
ここの実施例は、前記［００１１］の『課題解決手段その５は、前記［００１０］のトレー型粘着式捕獲器のネズミ侵入部につき、ネズミ侵入部の全部又は一部を、粘着剤の上に破れ・崩れやすい表面膜があるものにしたものである。』に関するものであり、従って、トレー型粘着式捕獲器（従来「粘着部材」ともいっていたもの）をハウスに載置する点において従来のものと同じであり、外形上も、従来のもの（特開２００１ー２３１４２８等）とほぼ同じものである。
しかし、ここの本発明は、構成及び作用効果において重要な点が異なっているものである。次に、図１〜５を参照して説明する。
【００３２】
すなわち、ここの実施例のトレー型粘着式捕獲器は、トレー底基盤２の上に、粘着剤３を敷き詰めた捕捉部５の一部（一辺）に粘着剤の上に破れ・崩れやすい表面膜６があるネズミ侵入部４を設けたもの（以下、「表面膜があるトレー型粘着式捕獲器」ともいう。）であり、従来のように、ハウス１０の底面１１の上に載置する等して使用されるものである。
以上［００３１］［００３２］の作用効果は、前記［００１９］参照。
【００３３】
捕捉部５には、捕捉部の縁７ａと餌置部７ｂとが一体となった縁兼餌置部７（図２）があり、そこに餌（ソーセージ、カマボコ、サツマイモ等）を置くことで、ネズミを捕捉部５に招き込む工夫（捕獲効果をより高める工夫）や、トレー底基盤２の底部に凹部８を設け、ネズミの脱出をより困難なものにした工夫もある。
【００３４】
なお、組み立ては、表面膜があるトレー型粘着式捕獲器１の両端にある弁部９、９（図２）をハウス１０の底面１１の両端に設けた切込み穴１２（図１）に差し込んで、そのトレー型粘着式捕獲器１をハウス１０に固定する。
ついで、図１、３に示すように「取っ手１３」の両側にある係合部１４、１４の凸部１５、１５（図１）を相手の「取っ手１３」にかけ、「取っ手１３」を重ね合わ、ハウス１０を組み立てる。高さ及び幅は約１０ｃｍ以上、長さは約２５ｃｍ以上として形成されている。
【００３５】
設置例について、図４のごとく、ネズミがネズミ侵入部４から入るように、ハウス・トレー型粘着式捕獲器、二つを、捕捉部が中央部に位置する形に連結・設置する。又は、図５のように、その捕獲器を、捕捉部が壁等で塞がる形（ネズミがネズミ侵入部４から入る形）に設置するのがよい。
【００３６】
実施例その４。（図１５参照）
ここの実施例は、前記［００１２］記載の『課題解決手段その６は、前記トレー型粘着式捕獲器のネズミ侵入部の全部又は一部の表面を滑路にしたものである。』に関するものである。
【００３７】
すなわち、図１５に示すように、前記トレー型粘着式捕獲器において、粘着剤３を敷き詰めた捕捉部５の一部に、全部の表面を滑路２９にしたネズミ侵入部４があるトレー型粘着式捕獲器（以下、「滑路があるトレー型粘着式捕獲器」ともいう。）である。
なお、滑路２９にした部分は、トレー底基盤２を全面的に凸状にしたものである。
使用に際しては、前記［００３４］記載のようにし、滑路があるトレー型粘着式捕獲器３４をハウス１０に載置し組み立てて使用する等、少なくともネズミ侵入部４への入口がある形にして使用すればよい。
以上の作用効果については前記［００２０］参照。
【００３８】
実施例その５。（図８〜１０参照）
ここの実施例は、前記［００１３］記載の『課題解決手段その７は、前記トレー型粘着式捕獲器のネズミ侵入部を、少なくともネズミ路と粘着剤があるものにしたものである。』に関するものであり、ネズミ侵入部４にネズミ路２０、２１と粘着剤３があるものである。
【００３９】
すなわち、図８、９に示すように、前記トレー型粘着式捕獲器において、粘着剤３を敷き詰めた捕捉部５の一部に、ネズミ路（次の備考参照）２０、２１と粘着剤３を有するネズミ侵入部４があるトレー型粘着式捕獲器（以下、「ネズミ路があるトレー型粘着式捕獲器」ともいう。）である。
使用に際して、前記［００３４］記載のようにして、組み立てる等、ネズミ侵入部４が入口になっている形態で使用すればよい。
備考：ネズミ路は、ネズミが通るものであり、かつ、図８、９のように、侵入口２２付近から捕捉部５に至っているものである。例えば、図８に示すように、粘着剤３の上にネズミが通る巾の厚紙を貼った厚紙路２０、図９に示すように、トレー底基盤２の一部をネズミが通る巾だけ凸にした凸路２１、当該基盤２をネズミが通れる巾だけ剥き出しにした凹路等。
以上の作用効果は、前記［００２１］参照。
【００４０】
図１０に示すように、ネズミが、ネズミ路２０、２１から侵入するように誘導する誘導部材を設けるとなお良い。例えば、ハウス１０の側面の延長部を曲げた誘導部材２３（図１０）等。
【００４１】
実施例の形態につき、図９のネズミ路（凸路）２１がある実施例は、ネズミ路（凸路）２１の表面を滑路２９にすれば、前記［００３６］（実施例その４）の滑路２９がある実施例になるものでもある。
図８、９のネズミ侵入部４の粘着剤３の上に破れ・崩れやすい表面膜６を設ければ、［００３１］（実施例その３）の表面膜６がある実施例に該当するものになるものでもある。
【００４２】
実施例その６。（図１１参照）
ここの実施例は、前記［００１４］記載の『課題解決手段その８は、前記トレー型粘着式捕獲器を、底と側面と上面を有するハウス内に載置する又は設置したハウス・トレー型粘着式捕捉器において、捕捉部の縁付近に、ネズミの通過を阻止・抑制する通過阻止部を設けたものである。』に関するものである。
【００４３】
すなわち、前記通過阻止部２４は、図１１に示すように、阻止材２５（次の備考参照）を、ハウス１０に設けてある差込口２６（捕捉部の縁７ａの上部付近）から差し込み、その下部を捕捉部の縁７ａの内側の粘着材３に粘着させて固定したものである。
備考：阻止材２５の材質は、樹脂、厚紙等、ネズミの通過を阻止・抑制するものなら何でもよい。その形状は、空気は流れるが、ネズミの通過は阻止・抑制するものであればよい。（空気の流れは、餌の臭いを運び、ネズミを誘引し、かつ、ネズミに安心等を与える。）
例えば、ハウス１０の侵入口２２の反対側の側面を、上下の巾を狭くして延長させ、その延長部２８ａを曲げ、粘着テープで両方の延長部２８ａを結合させたもの等でもよい。
なお、この実施例の阻止材２５は、材質は樹脂であり、その形状には、空気の流れを確保する為の工夫＝本体の側部等との間に透き間を設け、かつ、下部に切込２７を設けた工夫＝がされているものである。
【００４４】
通過阻止部２４があるため、ネズミは、ハウスを通過すること延いてはハウスからのはみ出しを阻止され、ハウス内で捕獲されることになり、「ハウス内での捕獲」という目指すべき目的の進歩・発展をもたらす。
以上の構成により、前記［００２２］記載の作用効果を発揮するものになる。
さらに、侵入口２２に延長部２８ｂを設けて置けば、両端を塞いだ形で廃棄処理ができ、処理作業が進歩する。
【００４５】
上述したように、本発明の粘着式捕獲器の効果は、
１  従来の枯着式捕獲器により捕獲されるネズミは、ホコリや水等が足に付着していたネ
ズミであり、かつ、［０００５］２欠陥７ｂの学習が足らないネズミであり、かつ、そ
のネズミが奥（後足も粘着剤上に乗る位置）に侵入した時点で、そのホコリや水等が粘
着剤に付着して無くなった（本来の粘着力が発揮されるに至った）ネズミだけだったの
に対し、
２  ネズミ侵入部４等の本発明の手段により、強力な粘着剤を使用し、ネズミを基盤上で
捕獲できる等の作用を生み出し、上記課題（［０００５］２の欠陥１〜７）を改善・解
決するという効果を発揮する。
３  中型以上のネズミを捕獲するには、ネズミと粘着剤との接触面積の拡大が必要となり
、強力で柔らかい粘着剤の使用（剥離紙の使用は不可能）の方向に進むと見られる。本
発明は、これを想定したもので、これに対応するものである。
４  本発明は、サイズ等を限定するものではないから、小型ネズミに対しても有効なもの
である。小型向きのサイズにすればなおよい。
【図面の簡単な説明】
【００４６】
【図１】本発明の実施形態を示すハウス１０の一部を切りかいだ、ハウス・トレー          型粘着式捕捉器の正面図。
【図２】図１におけるＡ−Ａ線断面図兼表面膜があるトレー型粘着式捕捉器の平面図。
【図３】図１におけるＢ−Ｂ線断面図。
【図４】同ハウス・トレー型粘着式捕捉器を二器連結した斜視図。
【図５】同ハウス・トレー型粘着式捕捉器を一器設置したときの斜視図。
【図６】同破れ・崩れやすい表面膜６があるネズミ侵入部４を設けた粘着式捕獲器          の一部を切りかいだ平面図と、Ａ−Ａ線断面図。
【図７】同破れ・崩れやすい表面膜６があるネズミ侵入部４（左部）を設けた粘着          式捕獲器の平面図
【図８】同ネズミ侵入部４にネズミ路（厚紙）２１と粘着部材１９があるトレー型          粘着式捕獲器の平面図と、Ａ−Ａ線断面図
【図９】同ネズミ侵入部４にネズミ路（凸路）１９があるトレー型粘着式捕獲器の          平面図と、Ａ−Ａ線断面図
【図１０】同ネズミ路があるトレー型粘着式捕獲器を誘導材２３付きハウス内に設            置したハウス・トレー型粘着式捕捉器の斜視図
【図１１】同図１０に通過阻止部を設けたハウス・トレー型粘着式捕捉器の斜視図
【図１２】同中央部の捕捉部５の周辺に、全体の表面を滑路２９にしたネズミ侵入            部４を設けた粘着式捕獲器の一部を切りかいだ平面図と、Ａ−Ａ線断面図。
【図１３】同中央部の捕捉部５の周辺に、一部の表面を滑路２９にしたネズミ侵入            部４がある粘着式捕獲器の平面図
【図１４】図１３におけるＡ−Ａ線断面図。
【図１５】同ネズミ侵入部の全体の表面を滑路２９にしたトレー型粘着式捕捉器の            平面図と、Ａ−Ａ線断面図。
【符号の説明】
【００４７】
１    表面膜があるトレー型粘着式捕捉器
２    トレー底基盤
３    粘着剤
４    ネズミ侵入部
５    捕捉部
６    破れ・崩れやすい表面膜
７    縁兼餌置部（捕捉部の縁７ａ兼餌置部７ｂ）
８    凹部
９    弁部
１０    ハウス
１１    底面
１２    切込み穴
１３    取っ手
１４    係合部
１５    凸部
１６    縁
１７    基盤（厚紙製）
１８    餌置部
１９    ネズミ路があるトレー型粘着式捕捉器
２０    ネズミ路（厚紙）
２１    ネズミ路（凸路）
２２    侵入口
２３    誘導部材
２４    通過阻止部
２５    阻止材
２６    差込口
２７    切込
２８ａ  延長部
２８ｂ  侵入口の延長部
２９    活路（ネズミの足が滑りやすいもの）
３０    ストッパー
３１    皿状基盤
３２    昇り勾配・波形
３３    下り勾配・活路
３４    滑路があるトレー型粘着式捕捉器
【図１】
2006166783.tif 000003
【図２】
2006166783.tif 000004
【図３】
2006166783.tif 000005
【図４】
2006166783.tif 000006
【図５】
2006166783.tif 000007
【図６】
2006166783.tif 000008
【図７】
2006166783.tif 000009
【図８】
2006166783.tif 000010
【図９】
2006166783.tif 000011
【図１０】
2006166783.tif 000012
【図１１】
2006166783.tif 000013
【図１２】
2006166783.tif 000014
【図１３】
2006166783.tif 000015
【図１４】
2006166783.tif 000016
【図１５】
2006166783.tif 000017